(57)【要約】【課題】  画像データの受信を禁止するか、印刷指示なしに画像データを印刷するか、印刷指示に従って画像データを印刷するかの３択から処理をユーザが選んでおくことを可能にする仕組みを提供する。【解決手段】  画像データの受信を禁止する電話番号を記憶する第１の記憶手段と、印刷指示なしに画像データを印刷する電話番号を記憶する第２の記憶手段と、通信相手の電話番号が前記第１の記憶手段に記憶されている場合、画像データの受信を禁止し、通信相手の電話番号が前記第１の記憶手段に記憶されている場合、印刷指示なしに画像データを印刷し、通信相手の電話番号が前記第１の記憶手段にも前記第２の記憶手段にも記憶されていない場合、印刷指示に従って画像データを印刷するよう制御する制御手段とを有する。【選択図】  図８
2016100783.tif 000002
【特許請求の範囲】
【請求項１】
画像データの受信を禁止する電話番号を記憶する第１の記憶手段と、
印刷指示なしに画像データを印刷する電話番号を記憶する第２の記憶手段と、
通信相手の電話番号が前記第１の記憶手段に記憶されている場合、画像データの受信を禁止し、通信相手の電話番号が前記第１の記憶手段に記憶されている場合、印刷指示なしに画像データを印刷し、通信相手の電話番号が前記第１の記憶手段にも前記第２の記憶手段にも記憶されていない場合、印刷指示に従って画像データを印刷するよう制御する制御手段とを有することを特徴とする印刷装置。
【請求項２】
前記制御手段は、通信相手の電話番号が前記第１の記憶手段に記憶されている場合、画像データを受信する前に回線を切断するよう制御することを特徴とする請求項１に記載の印刷装置。
【請求項３】
前記制御手段は、通信相手の電話番号が前記第１の記憶手段にも前記第２の記憶手段にも記憶されていない場合、当該通信相手から画像データを印刷指示を受け付けるまで保存手段に保存するよう制御することを特徴とする請求項１または２に記載の印刷装置。
【請求項４】
前記保存手段に保存された画像データを表示する表示手段をさらに備えることを特徴とする請求項３に記載の印刷装置。
【請求項５】
前記保存手段によって保存された画像データを印刷するための印刷指示を受け付けたことに従って、前記第２の記憶手段は、当該画像データを送信した通信相手の電話番号を新たに記憶することを特徴とする請求項３または４に記載の印刷装置。
【請求項６】
前記保存手段によって保存された画像データを削除するための削除指示を受け付けたことに従って、前記第１の記憶手段は、当該画像データを送信した通信相手の電話番号を新たに記憶することを特徴とする請求項３または４に記載の印刷装置。
【請求項７】
画像データの受信を禁止する電話番号を記憶する第１の記憶手段と、
印刷指示なしに画像データを印刷する電話番号を記憶する第２の記憶手段と、
通信相手の電話番号が前記第１の記憶手段に記憶されている場合、画像データの受信を禁止し、通信相手の電話番号が前記第１の記憶手段に記憶されている場合、印刷指示なしに画像データを印刷し、通信相手の電話番号が前記第１の記憶手段にも前記第２の記憶手段にも記憶されていない場合、転送指示に従って画像データを転送するよう制御する制御手段とを有することを特徴とする印刷装置。
【請求項８】
画像データの受信を禁止する電話番号を記憶する第１の記憶手段と、
印刷指示なしに画像データを印刷する電話番号を記憶する第２の記憶手段とを有する印刷装置の制御方法であって、
通信相手の電話番号が前記第１の記憶手段に記憶されている場合、画像データの受信を禁止し、通信相手の電話番号が前記第１の記憶手段に記憶されている場合、印刷指示なしに画像データを印刷し、通信相手の電話番号が前記第１の記憶手段にも前記第２の記憶手段にも記憶されていない場合、印刷指示に従って画像データを印刷するよう制御することを特徴とする印刷装置の制御方法。
【請求項９】
通信相手の電話番号が前記第１の記憶手段に記憶されている場合、画像データを受信する前に回線を切断するよう制御することを特徴とする請求項８に記載の印刷装置の制御方法。
【請求項１０】
通信相手の電話番号が前記第１の記憶手段にも前記第２の記憶手段にも記憶されていない場合、当該通信相手から画像データを印刷指示を受け付けるまで保存手段に保存するよう制御することを特徴とする請求項８または９に記載の印刷装置の制御方法。
【請求項１１】
前記保存手段に保存された画像データを表示する表示手段をさらに備えることを特徴とする請求項１０に記載の印刷装置の制御方法。
【請求項１２】
前記保存手段によって保存された画像データを印刷するための印刷指示を受け付けたことに従って、前記第２の記憶手段は、当該画像データを送信した通信相手の電話番号を新たに記憶することを特徴とする請求項１０または１１に記載の印刷装置の制御方法。
【請求項１３】
前記保存手段によって保存された画像データを削除するための削除指示を受け付けたことに従って、前記第１の記憶手段は、当該画像データを送信した通信相手の電話番号を新たに記憶することを特徴とする請求項１０または１１に記載の印刷装置の制御方法。
【請求項１４】
画像データの受信を禁止する電話番号を記憶する第１の記憶手段と、
印刷指示なしに画像データを印刷する電話番号を記憶する第２の記憶手段とを有する印刷装置の制御方法であって、
通信相手の電話番号が前記第１の記憶手段に記憶されている場合、画像データの受信を禁止し、通信相手の電話番号が前記第１の記憶手段に記憶されている場合、印刷指示なしに画像データを印刷し、通信相手の電話番号が前記第１の記憶手段にも前記第２の記憶手段にも記憶されていない場合、転送指示に従って画像データを転送するよう制御することを特徴とする印刷装置の制御方法。
【請求項１５】
請求項８乃至１４のいずれか１項に記載の印刷装置の制御方法を、コンピュータに実行させるためのプログラム。
【発明の詳細な説明】
【技術分野】
【０００１】
本発明は、印刷装置、印刷装置の制御方法、及びプログラムに関する。
【背景技術】
【０００２】
従来、通信開始要求があった場合に、通信開始要求の送信元がブラックリストに登録されているか否かを判定する技術がある。（特許文献１参照）
通信開始要求の送信元がブラックリストに登録されていると判定した場合に、その送信元から画像データを受信することを拒否し、登録されていないと判定した場合に印刷指示なしに画像データに基づく印刷が行われる。
【０００３】
また、通信開始要求があった場合に、通信開始要求の送信元がホワイトリストに登録されている送信元であるか否かを判定する技術がある。通信開始要求の送信元がホワイトリストに登録されていれば通信を許可し、通信開始要求の送信元がホワイトリストに登録されていなければ通信を拒否する技術がある。
【先行技術文献】
【特許文献】
【０００４】
【特許文献１】特開２０１０−９８４６８号公報
【発明の概要】
【発明が解決しようとする課題】
【０００５】
従来は、画像データの受信を禁止するか、印刷指示なしに画像データを印刷するか、印刷指示に従って画像データを印刷するかの３択から処理をユーザが選んでおくことができなかった。
【０００６】
特許文献１に記載された技術では、通信相手からの画像データの受信を拒否するか、通信相手から画像データを受信して印刷指示を受け付けずに印刷するかを選択することはできる。しかしながら、３つ目の選択肢として、通信相手からの画像データを印刷指示に従って印刷する処理をユーザは選ぶことができない。
【０００７】
また、ホワイトリストでは、通信相手との通信を許可するか禁止するかをユーザは選ぶことはできる。しかしながら、画像データの受信を禁止するか、印刷指示なしに画像データを印刷するか、印刷指示に従って画像データを印刷するかの３択から処理をユーザが選んでおくことができなかった。
【０００８】
本発明は、このような課題に鑑みてなされたものである。本発明の目的は、画像データの受信を禁止するか、印刷指示なしに画像データを印刷するか、印刷指示に従って画像データを印刷するかの３択から処理をユーザが選んでおくことを可能にする仕組みを提供することを目的とする。
【課題を解決するための手段】
【０００９】
本発明に係る印刷装置は、画像データの受信を禁止する電話番号を記憶する第１の記憶手段と、印刷指示なしに画像データを印刷する電話番号を記憶する第２の記憶手段と、通信相手の電話番号が前記第１の記憶手段に記憶されている場合、画像データの受信を禁止し、通信相手の電話番号が前記第１の記憶手段に記憶されている場合、印刷指示なしに画像データを印刷し、通信相手の電話番号が前記第１の記憶手段にも前記第２の記憶手段にも記憶されていない場合、印刷指示に従って画像データを印刷するよう制御する制御手段とを有する。
【発明の効果】
【００１０】
本発明によれば、画像データの受信を禁止するか、印刷指示なしに画像データを印刷するか、印刷指示に従って画像データを印刷するかの３択から処理をユーザが選んでおくことができる。
【図面の簡単な説明】
【００１１】
【図１】本実施形態に係る画像処理装置の構成を示すブロック図である。
【図２】本実施形態に係る操作部を説明するための図である。
【図３】本実施形態に係る操作画面を説明するための図である。
【図４】本実施形態に係る受信拒否リスト及び印刷許可リストを説明するための図である。
【図５】本実施形態に係る操作画面を説明するための図である。
【図６】本実施形態に係る操作画面を説明するための図である。
【図７】本実施形態に係る操作画面を説明するための図である。
【図８】本実施形態に係る制御例を説明するためのフローチャートである。
【図９】本実施形態に係る制御例を説明するためのフローチャートである。
【図１０】本実施形態に係る制御例を説明するためのフローチャートである。
【図１１】本実施形態に係る制御例を説明するためのフローチャートである。
【発明を実施するための形態】
【００１２】
以下、図面を用いて本発明に係る実施形態を説明する。
【００１３】
＜第１の実施形態＞
図１は、本実施形態に係る画像処理装置（印刷装置）の一例であるＭＦＰ（Ｍｕｌｔｉ  Ｆｕｎｃｔｉｏｎ  Ｐｅｒｉｐｈｅｒａｌ）１００の構成を示すブロック図である。
【００１４】
本実施形態に係るＭＦＰ１００は、ＣＰＵ１０１、ＲＯＭ１０２、ＲＡＭ１０３、ＨＤＤ１０４を備える。また、ＭＦＰ１００は、ＮＩＣ１０５、タイマ１０６、モデム１０８、ＮＣＵ１０９、画像処理部１１３、操作部１１６、スキャナ１１７、プリンタ１１８を備える。なお、ＮＩＣは、Ｎｅｔｗｏｒｋ  Ｉｎｔｅｒｆａｃｅ  Ｃａｒｄの略である。また、ＮＣＵは、Ｎｅｔｗｏｒｋ  Ｃｏｎｔｒｏｌ  Ｕｎｉｔの略である。
【００１５】
ＣＰＵ１０１は、ＲＯＭ１０２またはＨＤＤ１０４に記憶されたプログラムをＲＡＭ１０３に読み出して実行することによって、ＭＦＰ１００を統括的に制御する。
【００１６】
ＲＯＭ１０２は、ＣＰＵ１０１によって読み出され、実行されるプログラムを記憶する。
【００１７】
ＲＡＭ１０３は、ＣＰＵ１０１の作業領域として機能する。ＲＡＭ１０３には、データやＣＰＵ１０１によって読み出されたプログラムが記憶される。
【００１８】
ＨＤＤ１０４は、プログラムや画像データを記憶する大容量の不揮発性メモリである。なお、ＨＤＤ１０４の代わりに、ブルーレイディスクやＳＳＤ（Ｓｏｌｄ  Ｓｔａｔｅ  Ｄｒｉｖｅ）を用いてもよい。
【００１９】
ＮＩＣ１０５は、ＭＦＰ１００がＬＡＮ１１２を介して行うネットワーク通信を制御する。ＭＦＰ１００は、ＮＩＣ１０５及びＬＡＮ１１２を介して外部のＰＣやＭＦＰとネットワーク通信を行う。
【００２０】
モデム１０８は、ファクシミリ通信される信号の変調／復調を行う。モデム１０８は、ＭＦＰ１００からＰＳＴＮ（Ｐｕｂｌｉｃ  Ｓｗｉｔｃｈｅｄ  Ｔｅｌｅｐｈｏｎｅ  Ｎｅｔｗｏｒｋｓ）１１０にファクシミリ送信されるデータを変調する。また、モデム１０８は、ＰＳＴＮ１１０からＭＦＰ１００にファクシミリ受信されるデータを復調する。
【００２１】
ＮＣＵ１０９は、ＰＳＴＮ１１０に接続され、電話局等に設置されている交換機と所定の手順により情報のやりとりを行う。例えば、ＮＣＵ１０９は、ＭＦＰ１００がＰＳＴＮ１１０を介して通信を行うために、ダイヤル信号を送受信する。
【００２２】
ＰＳＴＮ１１０は、公衆電話回線網である。
【００２３】
電話機１１１は、ＭＦＰ１００に外付けで設けられており、通話に使用するハンドセットや留守番電話機能を有する。
【００２４】
画像処理部１１３は、画像データの回転処理やモノクロ／カラー変換処理を実行する。
【００２５】
操作部１１６は、ハードキーと、タッチパネルを備える表示部で構成される。操作部１１６は、表示部に、操作画面やＭＦＰ１００のステータスを表示する。また、操作部１１６は、ハードキーまたはタッチパネルを介してユーザから操作を受け付ける。
【００２６】
スキャナ１１７は、原稿台に載置された原稿の画像を読み取り、読み取られた原稿の画像を示す画像データを生成する。なお、スキャナ１１７は、複数枚の原稿を１枚ずつ順に搬送するＡＤＦ（Ａｕｔｏ  Ｄｏｃｕｍｅｎｔ  Ｆｅｅｄｅｒ）を有していてもよい。ＡＤＦを用いる場合、スキャナ１１７は、ＡＤＦによって搬送される原稿を読み取って、原稿の画像を示す画像データを生成する。生成された画像データは、ＨＤＤ１０４に記憶される。
【００２７】
プリンタ１１８は、シートを給送し、給送されたシートに画像を印刷する。画像の印刷は、スキャナ１１４で読み取られた原稿の画像データ、ＰＳＴＮ１１０を介して受信した画像データ、または、ＬＡＮ１１２から受信した画像データに基づいて行われる。
【００２８】
図２は、図１に示したＭＦＰ１００が有する操作部１１６を示す図である。
【００２９】
操作部１１６は、ハードキーによるユーザ操作を受付けるキー入力部６０１、ソフトキーを表示可能で、当該ソフトキーによるユーザ操作を受付けるタッチパネル部６０２を有する。
【００３０】
まず、キー入力部６０１について説明する。図２に示すように、キー入力部６０１は、操作部電源スイッチ６０３を備える。ＭＦＰ１００が、スタンバイモード（通常動作状態）のときに、操作部電源スイッチ６０３がユーザによって押されると、ＣＰＵ１０１は、ＭＦＰ１００をスタンバイモードからスリープモード（通常動作状態より消費電力が小さい状態）に切り替える。一方、ＭＦＰ１００が、スリープモードのときに、操作部電源スイッチ６０３がユーザによって押されると、ＣＰＵ１０１は、ＭＦＰ１００をスリープモードからスタンバイモードに切り替える。
【００３１】
スタートキー６０５は、コピーやデータ送信などの動作をＭＦＰ１００に実行させる指示をユーザから受付けるためのキーである。
【００３２】
ストップキー６０４は、実行中のコピーやデータ送信を中断する指示をユーザから受付けるためのキーである。
【００３３】
テンキー６０６は、コピー部数の設定や、電話番号をユーザから受け付けるためのキーである。
【００３４】
次に、タッチパネル部６０２について説明する。タッチパネル部６０２は、ＬＣＤ（Ｌｉｑｕｉｄ  Ｃｒｙｓｔａｌ  Ｄｉｓｐｌａｙ：液晶表示部）と、その上に貼られた透明電極からなるタッチパネルシートとを有する。ＬＣＤには、操作画面やＭＦＰ１００のステータスが表示され、タッチパネルシートは、ＬＣＤに操作画面が表示された状態で、ユーザからの操作を受け付けるために使われる。
【００３５】
このＭＦＰ１００は、複数種類のジョブを実行する。例えば、ＭＦＰ１００は、スキャナ１１７によって原稿の画像を読み取り、生成された画像データに基づいて画像をプリンタ１１８に印刷させるコピージョブを実行する。
【００３６】
また、ＭＦＰ１００は、ＬＡＮ１１２を介して受信した画像データと印刷設定とを受信し、受信した画像データと印刷設定に基づいて、プリンタ１１８に画像を印刷させるＰＣプリントジョブを実行する。
【００３７】
さらに、ＭＦＰ１００は、スキャナ１１７によって原稿の画像を読み取り、生成された画像データを、ＰＳＴＮ１１０を介して送信するファクス送信ジョブを実行する。
【００３８】
また、ＭＦＰ１００は、ＰＳＴＮ１１０を介して画像データを受信可能である。
【００３９】
ＰＳＴＮ１１０を介して受信される画像データは、様々な送信元（通信相手）から送信される。
【００４０】
例えば、緊急の書類のように受信側のユーザがすぐに確認したい画像データを送信する送信元からの画像データは受信された後、受信側のユーザは、当該画像データに基づく画像をすぐに印刷したい。
【００４１】
一方、ユーザにとって不要な広告を送信してくる送信元から着呼があった場合は、当該送信元から送信された画像データの内容の確認の手間が増えないように受信を拒否した方がよい。
【００４２】
さらに、新規の送信元のように、その送信元が受信側のユーザにとって画像データを印刷してよいのかどうかがわからない場合、受信側のユーザは、印刷する前に、その画像データの内容を確認したい。
【００４３】
しかしながら、従来、画像データの受信を禁止するか、印刷指示なしに画像データを印刷するか、印刷指示に従って画像データを印刷するかの３択から処理をユーザが選んでおくことができなかった。
【００４４】
本実施形態に係るＭＦＰ１００は、画像データの受信を禁止するか、印刷指示なしに画像データを印刷するか、印刷指示に従って画像データを印刷するかの３択から処理を選べるようにする。
【００４５】
そして、ＭＦＰ１００は、決められた方法に従って処理を実行する。
【００４６】
では、具体的な制御について以下に説明する。
【００４７】
図３は、操作部１１６に表示される画面である。ユーザは、この画面を介してファクス受信設定を行う。
【００４８】
迷惑ファクス防止設定は、図３に示す画面で設定された設定に従った制御を行うか否かを設定するための項目である。ＯＮボタン２１１が選択されると、ＣＰＵ１０１は、図３の画面で設定された内容を有効にし、図３の画面で設定された内容に従って制御する。ＯＦＦボタン２１２が選択されると、ＣＰＵ１０１は、図３の画面で設定された内容を無効にし、ＰＳＴＮ１１０を介して画像データを受信した後、ユーザの印刷指示を待たずに画像データに基づく印刷を実行するよう制御する。
【００４９】
なお、ＯＦＦボタン２１２が選択されている場合、ＣＰＵ１０１は、２０２以降の項目の設定をグレーアウトし、ユーザからの操作を受け付けないよう制御してもよい。
【００５０】
受信拒否設定２０２は、受信拒否リストを有効にするか否かを設定するための項目である。図４（ａ）は、受信拒否リストの例である。受信拒否リストは、ブラックリストとも呼ばれる。受信拒否リストは、ＨＤＤ１０４に記憶されており、ＣＰＵ１０１によって参照される。受信拒否リストには、１つのレコードに、「Ｎｏ．（ナンバー）」と、「名称」と、「電話番号」が記憶されている。「Ｎｏ．（ナンバー）」は、ＣＰＵ１０１によって各レコードに一意に割り当てられる識別子である。「名称」は、ユーザが送信元を識別するために登録する名称であり、「電話番号」は、画像データの受信を拒否するよう設定された電話番号である。
【００５１】
図３のＯＮボタン２２１が選択されている場合、受信拒否リストを有効にし、受信拒否リストに記憶されている電話番号から着呼があっても、その電話番号が示す相手先から画像データを受信しない。図３のＯＦＦボタン２２２が選択されている場合、ＣＰＵ１０１は、受信拒否リストを無効にし、受信拒否リストに登録された内容に従った制御は行わない。
【００５２】
受信拒否リスト項目２０３は、受信拒否リストを編集するための項目である。ボタン２３１が押されると、ＣＰＵ１０１は、図４（ａ）の受信拒否リストに基づいて、図５（ａ）に示す受信拒否リストを操作部１１６に表示させる。図５（ａ）の説明は後で説明する。
【００５３】
図３の印刷許可設定２０４は、印刷許可リストを有効にするか否かを設定するための項目である。図４（ｂ）は、印刷許可リストの例である。なお、印刷許可リストは、ホワイトリストとも呼ばれる。印刷許可リストは、ＨＤＤ１０４に記憶されており、ＣＰＵ１０１によって参照される。印刷許可リストには、１つのレコードに、「Ｎｏ．（ナンバー）」と、「名称」と、「電話番号」が記憶されている。「Ｎｏ．（ナンバー）」は、ＣＰＵ１０１によって各レコードに一意に割り当てられる識別子である。「名称」は、ユーザが送信元を識別するために登録した名称であり、「電話番号」は、ユーザから印刷指示を受け付けずに画像データの印刷を実行するよう設定された電話番号である。
【００５４】
図３のＯＮボタン２４１が選択されている場合、印刷許可リストを有効にする。つまり、印刷許可リストに記憶されている電話番号から着呼があったら、ＣＰＵ１０１は、その電話番号が示す相手先から受信した画像データに基づく印刷をユーザの印刷指示を受け付けずに実行するよう制御する。図３のＯＦＦボタン２４２が選択されている場合、印刷許可リストを無効にし、印刷許可リストに登録された内容に従った制御は行わない。
【００５５】
印刷許可リスト項目２０５は、印刷許可リストを編集するための項目である。ボタン２５１が押されると、ＣＰＵ１０１は、図４（ｂ）の印刷許可リストに基づいて、図６（ａ）に示す印刷許可リストがタッチパネル部６０２に表示される。図６（ａ）の説明は後で行う。
【００５６】
図３の未登録の電話番号からの着呼時の処理の設定２０６は、受信拒否リストにも印刷許可リストにも登録されていない電話番号から着呼があった場合に行うべき処理を設定する項目である。以下、この設定を処理設定２０６と呼ぶ。
【００５７】
受信拒否リストにも印刷許可リストにも登録されていない電話番号から着呼があった場合に行うべき処理として、ユーザは、印刷と、受信拒否と、ボックス受信と、転送のいずれかを選択することができる。
【００５８】
印刷ボタン２６１が選択されると、受信拒否リストにも印刷許可リストにも登録されていない電話番号から着呼があった場合に、その電話番号が示す送信元から画像データを受信し、ユーザの印刷指示を待たずに画像データに基づく印刷が実行される。
【００５９】
受信拒否ボタン２６２が選択されると、受信拒否リストにも印刷許可リストにも登録されていない電話番号から着呼があった場合に、その電話番号が示す送信元からの画像データの受信が拒否される。
【００６０】
ボックス受信ボタン２６３が選択されると、受信拒否リストにも印刷許可リストにも登録されていない電話番号から着呼があった場合に、その電話番号が示す送信元から画像データは受信され、受信された画像データはＨＤＤ１０４内のボックスに保存される。ボックスとは、ＨＤＤ１０４内の一部の領域のことである。ここでは印刷は行われず、受信した画像データは、ユーザの印刷指示を受け付けるまでＨＤＤ１０４に保存される。保存された画像データは、ボックス画面を表示するための指示をユーザから操作部１１６を介して受け付けた場合に操作部１１６に表示される。図７（ａ）は、ボックス画面の一例である。図７（ａ）の説明は後で行う。
【００６１】
転送ボタン２６４は転送指示を受け付けるためのボタンである。転送ボタン２６４が選択されると、受信拒否リストにも印刷許可リストにも登録されていない電話番号から着呼があった場合に、その電話番号が示す送信元から画像データは受信され、受信された画像データを転送先２０７で設定された宛先に転送される。転送先２０７は、転送先の設定を受け付けるための項目である。入力ボタン２７１が押下されるとソフトキーボード画面がタッチパネル部６０２に表示される。ソフトキーボード画面を介して入力された文字列が、ＨＤＤ１０４に記憶され、転送先として表示欄２７２に表示される。
【００６２】
次に、図５を用いて、受信拒否リストの編集方法について説明する。
【００６３】
図５（ａ）は、受信拒否リストを示す。この画面は、ユーザによって図３のボタン２３１が押された場合に表示される。
【００６４】
図５（ａ）の受信拒否リスト３０１には、図４（ａ）の受信拒否リストに記憶された受信拒否番号が表示される。
【００６５】
新規登録ボタン３０２は、ユーザが新規に受信拒否番号を登録したいときに押される。
【００６６】
新規登録ボタン３０２が押されると、図５（ｂ）の受信拒否番号登録画面が表示される。受信拒否番号登録画面には、名称３０６と電話番号３０７が表示される。名称３０６の入力欄が押されると、ソフトキーボードが表示され、ユーザは、表示されたソフトキーボードを介して名称を入力する。また、電話番号３０７の入力欄が押されると、ソフトキーボードが表示され、ユーザは、表示されたソフトキーボードを介して受信拒否したい電話番号を入力する。入力された名称と電話番号は、ＣＰＵ１０１によって一時的にＲＡＭ１０３に記憶される。
【００６７】
ＯＫボタン３０８が押されると、ＲＡＭ１０３に記憶された名称３０６、電話番号３０７がＣＰＵ１０１によって図４（ａ）に新たなレコードとして記憶される。そして、ＣＰＵ１０１は、図５（ａ）の受信拒否リストを操作部１１６に表示させる。このとき、図５（ｂ）の画面で入力された名称３０６、及び電話番号３０７は受信拒否リスト３０１に追加して表示される。
【００６８】
一方、キャンセルボタン３０９が押されると、ＣＰＵ１０１は、ＲＡＭ１０３に記憶された名称３０６、電話番号３０７を図４（ａ）に登録せずに、図５（ａ）の受信拒否リスト３０１を操作部１１６に表示させる。
【００６９】
図５（ａ）の編集ボタン３０３は、図４（ａ）の受信拒否リストを編集したいときに押すボタンである。ユーザは、受信拒否リスト３０１から編集したい受信拒否番号のレコードを選択し、編集ボタン３０３を押す。編集ボタン３０３が押されると、ＣＰＵ１０１は、ユーザによって選択されたレコードの名称や電話番号を編集するために、図５（ｂ）に示す画面を操作部１１６に表示させる。編集のときは、ユーザによって選択されたレコードの名称や電話番号が図５（ｂ）に示す画面に引き継いで表示される。
【００７０】
図５（ａ）の削除ボタン３０４は、図４（ａ）の受信拒否リストに登録されたレコードを削除したいときに押すボタンである。ユーザは、受信拒否リスト３０１から削除したい受信拒否番号のレコードを選択し、削除ボタン３０４を押す。削除ボタン３０４が押されると、ＣＰＵ１０１は、選択されたレコードを図４（ａ）の受信拒否リストから削除する。
【００７１】
次に、図６を用いて、印刷許可リストの編集方法について説明する。
【００７２】
図６（ａ）は、印刷許可リストを示す。この画面は、ユーザによって図３のボタン２５１が押された場合に表示される。
【００７３】
図６（ａ）の印刷許可リスト４０１には、図４（ｂ）の印刷許可リストに記憶された印刷許可番号が表示される。
【００７４】
新規登録ボタン４０２は、ユーザが新規に印刷許可番号を登録したいときに押される。
【００７５】
新規登録ボタン４０２が押されると、図６（ｂ）の印刷許可番号登録画面が表示される。印刷許可番号登録画面には、名称４０６と電話番号４０７が表示される。名称４０６の入力欄が押されると、ソフトキーボードが表示され、ユーザは、表示されたソフトキーボードを介して名称を入力する。また、電話番号４０７の入力欄が押されると、ソフトキーボードが表示され、ユーザは、表示されたソフトキーボードを介して印刷許可したい電話番号を入力する。入力された名称と電話番号は、ＣＰＵ１０１によって一時的にＲＡＭ１０３に記憶される。
【００７６】
ＯＫボタン４０８が押されると、ＲＡＭ１０３に記憶された名称４０６、電話番号４０７がＣＰＵ１０１によって図４（ｂ）に新たなレコードとして記憶される。そして、ＣＰＵ１０１は、図６（ａ）の印刷許可リストを操作部１１６に表示させる。このとき、図６（ｂ）の画面で入力された名称４０６、及び電話番号４０７は印刷許可リスト４０１に追加して表示される。
【００７７】
一方、キャンセルボタン４０９が押されると、ＣＰＵ１０１は、ＲＡＭ１０３に記憶された名称４０６、電話番号４０７を図４（ｂ）に登録せずに、図６（ａ）の印刷許可リスト４０１を操作部１１６に表示させる。
【００７８】
図６（ａ）の編集ボタン４０３は、図４（ｂ）の印刷許可リストを編集したいときに押すボタンである。ユーザは、印刷許可リスト４０１から編集したい印刷許可番号のレコードを選択し、編集ボタン４０３を押す。編集ボタン４０３が押されると、ＣＰＵ１０１は、ユーザによって選択されたレコードの名称や電話番号を編集するために、図６（ｂ）に示す画面を操作部１１６に表示させる。編集のときは、ユーザによって選択されたレコードの名称や電話番号が図６（ｂ）に示す画面に引き継いで表示される。
【００７９】
図６（ａ）の削除ボタン４０４は、図４（ｂ）の印刷許可リストに登録されたレコードを削除したいときに押すボタンである。ユーザは、印刷許可リスト４０１から削除したい印刷許可番号のレコードを選択し、削除ボタン４０４を押す。削除ボタン４０４が押されると、ＣＰＵ１０１は、選択されたレコードを図４（ｂ）の印刷許可リストから削除する。
【００８０】
図８は、本実施形態に係るＭＦＰ１００における着呼時の動作を説明するためのフローチャートである。図８のフローチャートの各ステップは、ＣＰＵ１０１がＲＯＭ１０２に記憶されたプログラムをＲＡＭ１０３に読み出して実行することによって行われる。
【００８１】
Ｓ２０１０で、ＣＰＵ１０１は、ＰＳＴＮ１１０を介して受け付けた着呼をＮＣＵ１０９を使って、ＮＣＵ１０９からの信号によって検知し、回線を捕捉する。
【００８２】
Ｓ２０２０で、ＣＰＵ１０１は、送信元の装置からＮＣＵ１０９を介してＴＳＩ信号の通知を受ける。ＣＰＵ１０１は、通知されたＴＳＩ信号から送信元の電話番号を特定する。特定された電話番号は、ＣＰＵ１０１によってＲＡＭ１０２に記憶される。ＴＳＩ信号とは、送信元の装置に送信元のユーザによって登録された電話番号を示す情報であり、送信元から送信される情報である。
【００８３】
Ｓ２０３０で、ＣＰＵ１０１は、迷惑ファクス防止設定がＯＮであるか否かを判定する。図３の迷惑ファクス防止設定２０１のＯＮボタン２１１が選択されている場合、ＣＰＵ１０１は、迷惑ファクス防止設定がＯＮであると判定し、Ｓ２０４０に処理を進める。一方、図３の迷惑ファクス設定２０１のＯＦＦボタン２１２が選択されている場合、ＣＰＵ１０１は、迷惑ファクス設定がＯＦＦであると判定し、Ｓ２１４０に処理を進める。
【００８４】
Ｓ２０４０で、ＣＰＵ１０１は、受信拒否設定がＯＮであるか否かを判定する。図３の受信拒否設定２０２のＯＮ２２１が選択されている場合、ＣＰＵ１０１は、受信拒否設定がＯＮになっていると判定し、Ｓ２０５０に処理を進める。一方、図３の受信拒否設定２０２のＯＦＦ２２２が選択されている場合、ＣＰＵ１０１は、受信拒否設定がＯＦＦになっていると判定し、Ｓ２０８０に処理を進める。
【００８５】
Ｓ２０５０で、ＣＰＵ１０１は、Ｓ２０２０で通知された電話番号と、受信拒否リストに記憶された電話番号を比較する。
【００８６】
Ｓ２０５０における比較の処理を、図９のフローチャートを用いて説明する。図９のフローチャートの各ステップは、ＣＰＵ１０１がＲＯＭ１０２に記憶されたプログラムをＲＡＭ１０３に読み出して実行することによって行われる。
【００８７】
Ｓ４０１０で、ＣＰＵ１０１は、ＲＡＭ１０２に変数Ｍを作成し、変数Ｍに１を代入する。
【００８８】
Ｓ４０２０で、ＣＰＵ１０１は、図４（ａ）に示す受信拒否リストからＭレコード目の電話番号を取得する。
【００８９】
Ｓ４０３０で、ＣＰＵ１０１は、Ｓ４０２０で取得された電話番号と、Ｓ２０２０で通知された電話番号を比較する。
【００９０】
Ｓ４０４０で、ＣＰＵ１０１は、Ｓ４０２０で取得された電話番号と、Ｓ２０２０で通知された電話番号とが一致するか否かを判定する。一致すると判定された場合、ＣＰＵ１０１は、Ｓ４０５０に処理を進め、一致しないと判定した場合、ＣＰＵ１０１は、Ｓ４０６０に処理を進める。
【００９１】
Ｓ４０５０で、ＣＰＵ１０１は、通知された電話番号と、受信拒否リストの電話番号が一致することを示す情報をＲＡＭ１０２に記憶し、図８のＳ２０６０に処理を進める。
【００９２】
Ｓ４０４０からＳ４０６０に処理を進めた場合、ＣＰＵ１０１は、次のレコードがあるか否かを判定する。次のレコードがないと判定した場合、ＣＰＵ１０１は、Ｓ４０７０に処理を進め、次のレコードがあると判定した場合、ＣＰＵ１０１は、Ｓ４０８０に処理を進める。
【００９３】
Ｓ４０７０で、ＣＰＵ１０１は、通知された電話番号と、受信拒否リストの電話番号が一致しないことを示す情報をＲＡＭ１０２に記憶し、図８のＳ２０６０に処理を進める。
【００９４】
Ｓ４０６０からＳ４０８０に処理を進めた場合、ＣＰＵ１０１は、ＲＡＭ１０２に記憶された変数Ｍの値を１インクリメントして、Ｓ４０２０に処理を進める。
【００９５】
そして、図８の説明に戻り、Ｓ２０６０で、ＣＰＵ１０１は、Ｓ４０５０またはＳ４０７０で記憶された情報に基づいて、通知された電話番号と受信拒否リストに記憶された電話番号とが一致するか否かを判定する。通知された電話番号と受信拒否リストの電話番号とが一致することを示す情報が記憶されている場合に、ＣＰＵ１０１は、通知された電話番号と受信拒否リストの電話番号とが一致すると判定し、Ｓ２０７０に処理を進める。一方、通知された電話番号と受信拒否リストの電話番号とが一致しないことを示す情報が記憶されている場合に、ＣＰＵ１０１は、通知された電話番号と受信拒否リストの電話番号とが一致しないと判定し、Ｓ２０８０に処理を進める。
【００９６】
Ｓ２０７０に処理を進めた場合、ＣＰＵ１０１は、画像データの受信を拒否して処理を終了する。具体的に、ＣＰＵ１０１は、画像データの送信要求を送信元に送信することなく回線の切断要求を送信元に送信して回線を切断し、処理を終了する。
【００９７】
Ｓ２０８０に処理を進めた場合、ＣＰＵ１０１は、印刷許可リストがＯＮであるか否かを判定する。図３の印刷許可設定２０４のＯＮ２４１が選択されている場合、ＣＰＵ１０１は、印刷許可設定がＯＮになっていると判定し、Ｓ２０９０に処理を進める。一方、図３の印刷許可設定２０４のＯＦＦ２４２が選択されている場合、ＣＰＵ１０１は、印刷許可設定がＯＦＦになっていると判定し、Ｓ２１１０に処理を進める。
【００９８】
Ｓ２０９０で、ＣＰＵ１０１は、通知された電話番号と印刷許可リストに記憶された電話番号を比較する。
【００９９】
Ｓ２０９０における比較の処理を、図１０のフローチャートを用いて説明する。図１０のフローチャートの各ステップは、ＣＰＵ１０１がＲＯＭ１０２に記憶されたプログラムをＲＡＭ１０３に読み出して実行することによって行われる。
【０１００】
Ｓ５０１０で、ＣＰＵ１０１は、ＲＡＭ１０２に変数Ｎを作成し、変数Ｎに１を代入する。
【０１０１】
Ｓ５０２０で、ＣＰＵ１０１は、図４（ｂ）に示す印刷許可リストからＮレコード目の電話番号を取得する。
【０１０２】
Ｓ５０３０で、ＣＰＵ１０１は、Ｓ５０２０で取得された電話番号と、Ｓ２０２０で通知された電話番号を比較する。
【０１０３】
Ｓ５０４０で、ＣＰＵ１０１は、Ｓ５０２０で取得された電話番号と、Ｓ２０２０で通知された電話番号とが一致するか否かを判定する。一致すると判定された場合、ＣＰＵ１０１は、Ｓ５０５０に処理を進め、一致しないと判定した場合、ＣＰＵ１０１は、Ｓ５０６０に処理を進める。
【０１０４】
Ｓ５０５０で、ＣＰＵ１０１は、通知された電話番号と、受信拒否リストの電話番号が一致することを示す情報をＲＡＭ１０２に記憶し、図８のＳ２１００に処理を進める。
【０１０５】
Ｓ５０４０からＳ５０６０に処理を進めた場合、ＣＰＵ１０１は、次のレコードがあるか否かを判定する。次のレコードがないと判定した場合、ＣＰＵ１０１は、Ｓ５０７０に処理を進め、次のレコードがあると判定した場合、ＣＰＵ１０１は、Ｓ５０８０に処理を進める。
【０１０６】
Ｓ５０７０で、ＣＰＵ１０１は、通知された電話番号と、受信拒否リストの電話番号が一致しないことを示す情報をＲＡＭ１０２に記憶し、図８のＳ２１００に処理を進める。
【０１０７】
Ｓ５０６０からＳ５０８０に処理を進めた場合、ＣＰＵ１０１は、ＲＡＭ１０２に記憶された変数Ｎの値を１インクリメントして、Ｓ５０２０に処理を進める。
【０１０８】
そして、図８の説明に戻り、Ｓ２１００で、ＣＰＵ１０１は、Ｓ５０５０またはＳ５０７０で記憶された情報に基づいて、通知された電話番号と印刷許可リストの電話番号とが一致するか否かを判定する。ＣＰＵ１０１は、通知された電話番号と印刷許可リストの電話番号とが一致することを示す情報が記憶されている場合に、通知された電話番号と印刷許可リストの電話番号とが一致すると判定し、Ｓ２１１０に処理を進める。一方、ＣＰＵ１０１は、通知された電話番号と印刷許可リストの電話番号とが一致しないことを示す情報が記憶されている場合に、通知された電話番号と印刷許可リストの電話番号とが一致しないと判定し、Ｓ２１３０に処理を進める。
【０１０９】
Ｓ２１１０で、ＣＰＵ１０１は、送信元の電話番号に画像データの送信要求を送信し、その応答として画像データを受信し、受信した画像データをＨＤＤ１０４に記憶する。受信した画像データの記憶が完了したら、ＣＰＵ１０１は、送信元に回線の切断要求を送信し、回線を切断する。
【０１１０】
Ｓ２１２０で、ＣＰＵ１０１は、ＨＤＤ１０４に記憶された画像データに基づいて画像をシートに印刷し、処理を終了する。
【０１１１】
Ｓ２１００からＳ２１３０に処理を進めた場合、Ｓ２１３０で、ＣＰＵ１０１は未登録の電話番号からの着呼時の処理の設定が着信拒否であるか否かを、図３の処理設定２０６で選択された処理に基づいて判定する。受信拒否ボタン２６２が選択されている場合、ＣＰＵ１０１は、未登録の電話番号からの着呼時の処理の設定が着信拒否であると判定してＳ２０７０に処理を進める。一方、受信拒否ボタン２６２が選択されていない場合に、未登録の電話番号からの着呼時の処理の設定が着信拒否でないと判定してＳ２１４０に処理を進める。
【０１１２】
Ｓ２１４０で、ＣＰＵ１０１は、送信元の電話番号に画像データの送信要求を送信し、その応答として画像データを受信し、受信した画像データをＨＤＤ１０４に記憶する。受信した画像データの記憶が完了したら、ＣＰＵ１０１は、送信元に回線の切断要求を送信し、回線を切断する。
【０１１３】
Ｓ２１５０で、ＣＰＵ１０１は、未登録の電話番号からの着呼時の処理の設定が印刷であるか、転送であるか、ボックス受信であるかを、図３の処理設定２０６で選択された処理に基づいて判定する。印刷ボタン２６１が選択されている場合、ＣＰＵ１０１は、Ｓ２１２０に処理を進める。転送ボタン２６４が選択されている場合、ＣＰＵ１０１は、Ｓ２１６０に処理を進める。ボックス受信ボタン２６３が選択されている場合、ＣＰＵ１０１は、Ｓ２１８０に処理を進める。
【０１１４】
Ｓ２１２０に処理を進めた場合、ＣＰＵ１０１は、ＨＤＤ１０４に記憶された画像データに基づいて画像をシートに印刷し、処理を終了する。
【０１１５】
Ｓ２１６０に処理を進めた場合、ＣＰＵ１０１は、転送先２０７の項目で設定され、ＨＤＤ１０４に記憶されている転送先を参照する。
【０１１６】
Ｓ２１７０で、ＣＰＵ１０１は、ＨＤＤ１０４に記憶された画像データをＳ２０６０で取得した転送先に転送し、処理を終了する。
【０１１７】
Ｓ２１８０に処理を進めた場合、ＣＰＵ１０１は、ＨＤＤ１０４に記憶された画像データを、ＨＤＤ１０４のボックス領域に保存（移動、またはコピー）して処理を終了する。
【０１１８】
図１１は、本実施形態に係るＭＦＰ１００における着呼時の動作を説明するためのフローチャートである。図１１のフローチャートの各ステップは、ＣＰＵ１０１がＲＯＭ１０２に記憶されたプログラムをＲＡＭ１０３に読み出して実行することによって行われる。
【０１１９】
本フローチャートは、操作部１１６を介してボックス画面の表示指示を受け付けた場合に開始される。
【０１２０】
Ｓ３０１０で、ＣＰＵ１０１は、操作部１１６にボックス画面を表示する。図７（ａ）はボックス画面の一例である。リスト５０１は、Ｓ２１８０でボックス領域に保存された画像データのリストである。リストには、「Ｎｏ．」と、「相手先」と、「ページ」と、「日付」が表示され、画像データごとにレコードが分けて表示されている。「Ｎｏ．」は、リストの各レコードに対してＣＰＵ１０１によって一意に割り当てられる番号である。「相手先」は、Ｓ２０２０で通知された送信元の電話番号を示す。この「相手先」は、Ｓ２０２０で通知された電話番号がＣＰＵ１０１によって保存される。「ページ」は、保存された画像データのページ数を示す。「日付」は、保存された画像データの保存日時を示す。保存日時は、タイマ１０６によって取得された日時情報に基づいて画像データとともにＨＤＤ１０４に保存され、表示される。
【０１２１】
Ｓ３０２０で、ＣＰＵ１０１は、リスト５０１に表示された画像データのうち、いずれかの画像データの選択をユーザから受け付ける。
【０１２２】
Ｓ３０３０で、ＣＰＵ１０１は、図７（ａ）のプレビューボタン５０２が押されたか否かを判断する。プレビューボタン５０２が押されたと判断した場合、Ｓ３０４０に処理を進め、プレビューボタン５０２が押されていないと判断した場合、ＣＰＵ１０１は、Ｓ３０５０に処理を進める。
【０１２３】
Ｓ３０４０で、ＣＰＵ１０１は、Ｓ３０２０で選択された画像データに基づく画像を操作部１１６に表示させる。ユーザは、表示された画像を見ることによって、画像データの内容を確認することができる。
【０１２４】
Ｓ３０５０で、ＣＰＵ１０１は、印刷ボタン５０４が押されたか否かを判定する。印刷ボタン５０４が押されたと判定した場合、ＣＰＵ１０１はＳ３０６０に処理を進め、印刷ボタン５０４が押されていないと判定した場合、ＣＰＵ１０１はＳ３１００に処理を進める。
【０１２５】
Ｓ３０６０で、ＣＰＵ１０１は、選択されたレコードの電話番号を印刷許可リストに登録するか否かをユーザに確認するための画面を操作部１１６に表示させる。図７（ｂ）は、Ｓ３０６０で表示される画面の一例である。図７（ｂ）に示す画面には、選択されたレコードの電話番号を印刷許可リストに登録するかどうかをユーザに問い合わせるためのメッセージと、「はい」ボタン５０５、及び「いいえ」ボタン５０６が表示されている。
【０１２６】
Ｓ３０７０で、ＣＰＵ１０１は、選択されたレコードの電話番号を印刷許可リストに登録するか否かを判定する。「はい」ボタン５０５が押されると、ＣＰＵ１０１は、選択されたレコードの電話番号を印刷許可リストに登録すると判定し、Ｓ３０８０に処理を進める。
【０１２７】
Ｓ３０８０で、ＣＰＵ１０１は、選択されたレコードの電話番号を図４（ｂ）の印刷許可リストに新たなレコードとして登録し、Ｓ３０９０に処理を進める。なお、名称は未設定の状態で登録されてもよいし、「はい」ボタン５０５が押されたことに従って図６（ｂ）に示す画面を操作部１１６に表示させ、ユーザから名称を受け付けるようにしてもよい。
【０１２８】
一方、「いいえ」ボタン５０６が押されると、ＣＰＵ１０１は、選択されたレコードの電話番号を印刷許可リストに登録しないと判定し、Ｓ３０８０の処理を行わずにＳ３０９０に処理を進める。
【０１２９】
Ｓ３０９０で、ＣＰＵ１０１は、選択されたレコードに対応する画像データをＨＤＤ１０４のボックス領域から読み出してプリンタ１１８に送信し、当該画像データに基づく印刷をプリンタ１１８に実行させ、処理を終了する。
【０１３０】
Ｓ３０５０からＳ３１００に処理を進めた場合、ＣＰＵ１０１は、「削除」ボタン５０３が押されたか否かを判定する。「削除」ボタン５０３が押されたと判定された場合、ＣＰＵ１０１は削除指示を受け付けてＳ３１１０に処理を進め、「削除」ボタン５０３が押されていないと判定された場合、ＣＰＵ１０１はＳ３０２０に処理を進める。
【０１３１】
Ｓ３１１０で、ＣＰＵ１０１は、選択されたレコードの電話番号を、受信拒否リストに登録するか否かを確認するための画面を操作部１１６に表示させる。図７（ｃ）は、Ｓ３１１０で表示される画面の一例である。図７（ｃ）に示す画面には、選択されたレコードの電話番号を受信拒否リストに登録してもいいかどうかをユーザに問い合わせるためのメッセージと、「はい」ボタン５０７、及び「いいえ」ボタン５０８が表示されている。
【０１３２】
Ｓ３１２０で、ＣＰＵ１０１は、選択されたレコードの電話番号を受信拒否リストに登録するか否かを判定する。「はい」ボタン５０７が押されると、ＣＰＵ１０１は、選択されたレコードの電話番号を印刷許可リストに登録すると判定し、Ｓ３１３０に処理を進める。
【０１３３】
Ｓ３１３０で、ＣＰＵ１０１は、選択されたレコードの電話番号を、図４（ａ）の受信拒否リストに新たなレコードとして登録し、Ｓ３１４０に処理を進める。なお、名称は、未設定の状態で登録されてもよいし、「はい」ボタン５０７が押されたことに従って図５（ｂ）に示す画面を操作部１１６に表示させ、ユーザから名称を受け付けるようにしてもよい。
【０１３４】
一方、「いいえ」ボタン５０８が押されると、ＣＰＵ１０１は、選択されたレコードの電話番号を受信拒否リストに登録せずに、Ｓ３１３０の処理を行わずにＳ３１４０に処理を進める。
【０１３５】
以上のような制御を行うことによって、ユーザは、画像データの受信を禁止するか、印刷指示なしに画像データを印刷するか、印刷指示に従って画像データを印刷するかの３択から処理を選んでおくことができる。
【０１３６】
（その他の実施形態）
なお、上述した実施形態では、画像データの受信を禁止する送信元と、画像データをユーザの指示を受け付けずに印刷する送信元を設定しておく例を説明した。しかしながら、本発明は、これに限られるものではない。例えば、次のような実施形態でもよい。
【０１３７】
画像データの受信を禁止する送信元と、画像データをユーザの指示を受け付けてから印刷する送信元を設定しておく。そして、ＣＰＵ１０１は、画像データの受信を禁止するよう設定された送信元から着呼があった場合、その送信元から画像データを受信することを拒否する。一方、画像データをユーザの指示を受け付けてから印刷するよう設定された送信元から着呼があった場合、ＣＰＵ１０１は、その送信元から受信した画像データをユーザの指示を受け付けるまで記憶し、ユーザの指示を受け付けてから印刷するよう制御する。また、いずれの設定もされていない送信元から着呼があった場合、ＣＰＵ１０１は、その送信元から受信した画像データをユーザの指示を受け付けずに印刷するよう制御する。
【０１３８】
また、次のような実施形態でもよい。
【０１３９】
画像データをユーザの指示を受け付けずに印刷する送信元と、画像データのユーザの指示を受け付けてから印刷する送信元を設定しておくようにしてもよい。そして、画像データをユーザの指示を受け付けずに印刷するよう設定された送信元から着呼があった場合、ＣＰＵ１０１は、その送信元から受信した画像データをユーザの指示を受け付けずに印刷するよう制御する。一方、画像データのユーザの指示を受け付けてから印刷するよう設定された送信元から着呼があった場合、ＣＰＵ１０１は、その送信元から受信した画像データをユーザの指示を受け付けるまで記憶し、ユーザの指示を受け付けてから印刷するよう制御する。また、いずれの設定もされていない送信元から着呼があった場合、ＣＰＵ１０１は、その送信元から受信した画像データをユーザの指示を受け付けずに印刷するよう制御する。
【０１４０】
これらの設定方法によっても、画像データの受信を禁止するか、印刷指示なしに画像データを印刷するか、印刷指示に従って画像データを印刷するかの３択から処理をユーザが選んでおくことができる。
【０１４１】
また、上述した実施形態では、ファクシミリ受信を例に説明した。しかしながら、本発明はこれに限らず、メール受信に適用してもよい。メールに適用する場合、送信元のメールアドレス（電話番号と同様に送信元を識別する識別情報の例である）ごとに、メールの受信を禁止するか、メールをユーザの指示を受け付けずに印刷するかを示す情報を送信元ごとに設定しておけばよい。そして、ＣＰＵ１０１は、メールの受信要求をユーザから受け付けた場合に、メールの送信元のメールアドレスをＰＯＰサーバから受信する。そして、メールアドレスの送信元がメールの受信を禁止するよう設定された送信元であれば、ＣＰＵ１０１は、メールを受信せずに処理を終了する。一方、メールアドレスの送信元が、メールをユーザの指示を受け付けずに印刷するよう設定された送信元である場合、ＣＰＵ１０１は、メールを受信し、受信したメールをユーザの指示を受け付けずに印刷するよう制御する。さらに、いずれの設定もされていない送信元から着呼があった場合、ＣＰＵ１０１は、メールを受信し、受信したメールをユーザの指示を受け付けるまで記憶し、記憶されたメールをユーザの指示を受け付けたことに従って印刷するよう制御する。
【０１４２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４３】
１００  ＭＦＰ
１０１  ＣＰＵ
１０２  ＲＯＭ
【図１】
2016100783.tif 000003
【図２】
2016100783.tif 000004
【図３】
2016100783.tif 000005
【図４】
2016100783.tif 000006
【図５】
2016100783.tif 000007
【図６】
2016100783.tif 000008
【図７】
2016100783.tif 000009
【図８】
2016100783.tif 000010
【図９】
2016100783.tif 000011
【図１０】
2016100783.tif 000012
【図１１】
2016100783.tif 000013